(57)【要約】【課題】本考案は、長い丈のスカートを吊した場合、多段スカートハンガーで２段目以下の梯子段に吊したスカートがタンスやクローゼットの床面に触れ、スカートにしわを作る原因となっており、複数のスカートが吊せるスカート吊しハンガーが求められている。【解決手段】本考案は、長い棒状形状の硬質材料に、複数個のクリップ等の衣類保持構造物を取り付け、衣類保持構造物を取り付けた棒に吊り下げ部を設けたハンガーを考案することで前述の課題を解決する。【選択図】図１
0003127073.tif 000002
【実用新案登録請求の範囲】
【請求項１】
長尺形状部と前記長尺形状部を吊り下げるハンガーにおいて、前記長尺形状部が長尺方向に複数個の衣類保持構造を備えてなる物干し兼用衣服用ハンガー
【請求項２】
複数列の長尺形状部を有して吊り下げ部を設けた請求項１の物干し兼用衣服ハンガー
【請求項３】
長尺形状部に複数列の衣類保持構造列を有してなる請求項１の物干し兼用衣服ハンガー
【請求項４】
長尺形状部を衣服用ハンガーのズボン掛け部で構成した請求項１の物干し兼用衣服ハンガー
【考案の詳細な説明】
【技術分野】
【０００１】
本考案は多様な衣類を吊すハンガーの向上に関するものであり、特に長い丈のスカート等の衣服を、クリップを用いて吊して保管するハンガーで、スペースをとることなく保管でき、洗濯用物干しハンガーとしても使える物干し兼用衣服ハンガーを提供する考案である。
【背景技術】
【０００２】
高齢化世代が増加し、長い丈のスカートが好まれるようになってきている。こうした長い丈のスカートを、スペースをとることなく吊して保管するハンガーが求められている。従来技術では、複数枚のスカートが吊せるスカート吊し用ハンガーは、スカートを吊す部分を梯子形状で構成し、各梯子段にスカートを保持するクリップを設け、クリップでスカートを吊す形状となっている。
【０００３】
一方、洗濯用物干しハンガーは円状又は長方形状の枠部に複数個の洗濯挟みを吊した形状で作られている。
【特許文献１】実開平０７−０３９６５８
【考案の開示】
【考案が解決しようとする課題】
【０００４】
従来の複数枚吊せるスカート吊し用ハンガーは梯子形状で、各梯子部にスカートを挟むクリップを持ち、下方に１枚ずつずらして掛ける形状になっている。長い丈のスカートを吊した場合、２段目以下の梯子段に吊したスカートはタンスやクローゼットの床面に触れ、折れ曲がってスカートにしわを作る原因となっている。特に、衣替え時期まで長期保管する場合、できたスカートのしわは容易に消えないので、クリーニングやアイロンをかける等、特別に処理してしわを消している。このため、スカート品質が劣化することとなっている。このように多数の長い丈のスカートを従来のハンガーで保管するのは問題があり、この課題を解決できるハンガーが求められている。
【０００５】
一方、洗濯用ハンガーは１つのハンガーで、シャツや下着、タオル等多数の洗濯物を吊して干せるよう作られており、空間的に広がった形状となっている。多数の洗濯物が干せるものの、ハンカチやタオル等の小物や、シャツ等大きなものと混在して干すこととなり小回りがきかなく、使い勝手が良いとは言えず、用途別に使える洗濯用物干しハンガーが求められている。
【課題を解決するための手段】
【０００６】
本考案は、長い棒状形状（長尺形状）の硬質材料に、複数個のクリップ等の衣類保持構造物を取り付け、衣類保持構造物を取り付けた長尺形状部を吊すための吊り下げ部を設けたハンガーを考案することで前述の課題を解決する。複数個取り付けたクリップ等の衣類保持構造物を、選択使用することで、複数のスカートが重ねて吊せる。衣類保持構造物はクリップのほか、洗濯挟みのような物を挟んで保持する機能を持つ物でよい。
【０００７】
長尺形状部に長い丈のスカートを吊すため、タンスやクローゼットの床面につくことが防げる。また、ハンガー１個で数枚のスカートを吊すことができスカート収納スペースも少なくでき、衣服収納タンスの床面につくことによりしわができるというトラブルもなくなる。
【０００８】
本考案では、衣服ハンガーのズボン吊し棒部に衣類を保持するクリップを複数個取り付け、クリップを選択使用することで、複数のスカートが重ねて吊せ、かつ、上着の洋服も掛けられるため、保管スペースをとることなく、効率よい衣類保管ハンガーとなる。
【考案の効果】
【０００９】
本考案のハンガーは１個で数枚のスカートが吊せるスカート吊し用ハンガーである。また、そのままで洗濯用ハンガーとして使え、ハンカチやタオルといった小物用途から、シャツといった大物用途別に、使い勝手の良い使い分けができる。また、平面形状であるため、干すのに必要な数だけハンガーを使用することで、空間的なスペースを狭くでき、効率よく空間の利用でき、多数の洗濯物が干せる。
【００１０】
本考案は、４個以上のクリップ等のスカートを挟む衣類保持構造を設けることで、４個の場合、２個のクリップで１枚のスカートを保持し、２数のスカートがずらして重ねて吊せ、保管スペースをとることなく掛けられ、長い丈のスカートがタンス等の床面につくこともない。また、クリップ等の衣服保持構造の数を増やせば、２枚以上のスカートを吊すことができ、スカート収納スペースも少なくでき、衣服収納タンスの床面につくことによるしわができるというトラブルもなくなる。
【００１１】
長尺形状部分にクリップ等の衣服保持構造物を５個つける場合、２枚から３枚のスカートが吊せ、ハンカチやタオル等の洗濯物は５数枚干せる。
【００１２】
衣類保持構造物を有した長尺形状部分を２列並列に近接して設けたハンガーの場合、スカート等の吊せる枚数は倍になり、その効果は倍増する。さらに長尺形状列数を増やせば吊せる効果は大幅に向上する。
【００１３】
長尺形状部分を長方形状にし、衣服保持構造物列を複数列設ける構造の場合についても、衣類保持構造列の増列数に応じて吊せる枚数は増やせる。
【考案を実施するための最良の形態】
【００１４】
数枚のスカートを吊す場合、吊すスカートの重量に耐え、形状変化を起こさないよう長尺形状部は材料・形状を選別する必要がある。用途別に、長尺形状部の強度を考え、硬質木材、硬質プラスチックや金属棒等、及びその径を選ぶ。複数枚のスカートが吊せ、洗濯用も兼ねる場合、長尺形状部の強度選定はスカート重量を優先して決める。
【００１５】
衣類保持構造物もスカートを吊す場合、その重量を掴まえ落下することのないだけの挟みつける力が必要で、挟む部分の広い大型洗濯挟み等のクリップを使う。また、用途にあわせて特別に設計した衣服保持構造物を使っても良い。衣服保持構造物を長尺形状部に取り付ける構造物は通常の洗濯用ハンガーで使われているプラスチック材料で長尺棒部分と一体的に作ることでも可能である。長尺形状部、衣服保持構造部の材料や形状は用途により選択すれば良い。
【００１６】
複数列の長尺形状部を設ける場合や、長尺形状部を長方形状にして複数列の衣類保持構造列を設ける場合は、ハンガーを吊り下げる吊り下げ部も、吊り下げ総荷重を考慮して決めれば良い。
【実施例】
【００１７】
以下、添付図面に従って説明する。図１は実施例で、１は直径が２０ｍｍの硬質プラスチックで、２はスカート等の衣類を保持する大型洗濯挟みで、６個取り付けている。３は洗濯挟み２を硬質プラスチック棒１に取り付ける紐で、２．０ｍｍの凧糸を使用している。４は全体を吊す吊り下げ部である。本実施例では３枚の丈の長い冬用スカートが床面につくことなく吊せた。
【００１８】
図１の他の実施例として、洗濯挟み２を取り付けた硬質プラスチック棒１を近接して２列とし、吊り下げ部を設け、６枚の長い丈の冬用スカートを床面につくことなく吊せた。
【００１９】
図２は他の実施例で、プラスチックの衣服ハンガー５のズボンかけ部６に、衣類を保持する洗濯挟み７を、６個取り付けている。洗濯挟みは細い棒状プラスチック８で吊り下げて、取り付けている。本実施例では軽い夏用スカートが３枚吊せる。また、枠の太い衣服ハンガーで、ズボン掛け部をスカートの重量に耐えうるよう補強材をそえ、洗濯挟み７を、大型洗濯挟みを用い、洗濯挟みを吊すプラスチック棒を太くして作成した実施例では冬用の長い丈のスカート３枚を、ハンガー形状が変形することなく吊せた。ズボン掛け部をスカートの重量に耐えうる硬質プラスチック等に変えることでも同じ効果が実現できるのは当然である。
【図面の簡単な説明】
【００２０】
【図１】本考案の物干し兼用スカート吊しハンガーの実施例を示す概略図である。
【図２】本考案の他の実施例の概略図である。
【符号の説明】
【００２１】
１  硬質プラスチック棒
２  大型洗濯挟み
３  洗濯挟み吊しひも
４  ハンガー吊し
５  衣服ハンガー
６  ズボン掛け部
７  洗濯挟み
８  洗濯挟み吊り下げブラスチック細棒
【図１】
0003127073.tif 000003
【図２】
0003127073.tif 000004